(57)【要約】【課題】従来と同等の断熱性能を維持し、コスト及び工数低減を図り、さらに、部品のリサイクル率を向上し環境負荷の低減を図った空気調和機を提供する。【解決手段】熱交換器１１と、台枠７と、前記熱交換機１１の下流側に配された送風ファン１０と、前記熱交換器１１で熱交換された空気を送風回路５を経て吹き出す吹出し口９とを備え、前記送風回路５の裏面の一部を箱状に形成し、前記箱部５ａに、前記箱部５ａと同一材料で成形した中空用蓋１を係合させて中空部８を形成したもので、中空部８で断熱材貼り付けと同等の断熱性能を維持すると共に、箱部５ａに中空用蓋１を係合させるだけで中空部８が形成できるので、従来のような溶着治具や溶着工程が不要になり、コスト及び作業工数低減を図ることができる。さらに、解体の手間をかけずに送風回路部品をそのままリサイクル使用できるため環境負荷の低減を図ることができる。【選択図】図２
2005321127.tif 000002
【特許請求の範囲】
【請求項１】
熱交換器と、台枠と、前記熱交換機の下流側に配された送風ファンと、前記熱交換器で熱交換された空気を送風回路を経て吹き出す吹出し口とを備え、前記送風回路の裏面の一部を箱状に形成し、前記箱部に、前記箱部と同一材料で成形した中空用蓋を係合させて中空部を形成したことを特徴とする空気調和機。
【請求項２】
中空用蓋の外周にシール用突壁を設けた請求項１に記載の空気調和機。
【請求項３】
中空用蓋の下部に差込み突起を複数個設け、さらに、前記差込み突起が挿入される囲い壁を台枠に複数個設けた請求項１又は２に記載の空気調和機。
【請求項４】
送風回路の裏面に一体的に設けられ結露水を受ける樋部と、中空用蓋の上側のシール用突壁に設けられた複数個の角穴部を備え、前記樋部下の箱部内側に、前記角穴部を引っ掛ける引っ掛け爪を設けた請求項２又は３に記載の空気調和機。
【請求項５】
箱部内面に当接する当てリブをシール用突壁に複数個設け、さらに、台枠に設けた囲い壁の内側に差込み突起に当接する第２の当てリブを設けた請求項３又は４に記載の空気調和機。
【発明の詳細な説明】
【技術分野】
【０００１】
本発明は、空気調和機に関するもので、特に結露防止のための断熱構造に関するものである。
【背景技術】
【０００２】
従来の空気調和機について、図６、７を用いて説明する。
【０００３】
図６は、空気調和機の正面図、図７は、図６のＡ−Ａ断面図である。
【０００４】
図において、空気調和機本体１２には、熱交換器１１と、熱交換器１１の下流側に配された送風ファン１０と、熱交換器１１で熱交換された空気を吹き出す吹出し口９と、熱交換された空気を吹出し口９に導く送風回路５が設けられている。
【０００５】
冷房運転時において、送風ファン１０によって熱交換器１１を通過し冷却された風が送風回路５を冷却するため、送風回路５の背面側が大量に結露する。そこで、背面上部の結露水は背面側の樋６を用いて回収処理し、構造上処理できない結露の発生する可能性のある背面側の樋６より下側には、冷房時の結露を防ぐために発泡スチロールなどからなる断熱材１３を貼り付けている。
【０００６】
また、送風回路の背面に箱状のリブを形成し、そのリブに蓋を溶着して中空部を形成し、その中空部に断熱効果を持たせた空気調和機もある（例えば、特許文献１参照）。
【特許文献１】特開平１１−１５９７９１号公報
【発明の開示】
【発明が解決しようとする課題】
【０００７】
しかしながら、上記従来の空気調和機の断熱構造では、断熱材１３の材料コストさらに、発泡スチロール貼り付け用の接着剤の塗布及びその貼り付け工数を必要とした。また、リサイクル対応の解体時の分別作業において、接着された発泡スチロールの取り外しが非常に困難なためリサイクル対応が出来ないといった課題を有していた。
【０００８】
また、送風回路の背面側に箱状のリブを形成し、そのリブに蓋を溶着して中空部を形成した空気調和機では、中空部形成用の蓋を溶着するための設備投資費用が高額であり、又その溶着作業の工数がかかりコスト高になるという課題があった。
【０００９】
本発明は、前記従来の課題を解決するもので、従来と同等の断熱性能を維持しながら、安価で設備投資費用も少なく組み立てが容易で、しかもリサイクル使用も容易な断熱構造を有する空気調和機を提供する事を目的とする。
【課題を解決するための手段】
【００１０】
前記従来の課題を解決するために、本発明の空気調和機は、熱交換器と、台枠と、前記熱交換機の下流側に配された送風ファンと、前記熱交換器で熱交換された空気を送風回路を経て吹き出す吹出し口とを備え、前記送風回路の裏面の一部を箱状に形成し、前記箱部に、前記箱部と同一材料で成形した中空用蓋を係合させて中空部を形成したもので、中空部で断熱材貼り付けと同等の断熱性能を維持すると共に、箱部に中空用蓋を係合させるだけで中空部が形成できるので、従来のような溶着治具や溶着工程が不要になり、コスト及び工数の低減を図ることができる。さらに、送風回路と中空用蓋の材質が同一なので解体の手間をかけずに送風回路部品をそのままリサイクル使用できるため環境負荷の低減を図ることができる。
【発明の効果】
【００１１】
本発明の空気調和機の断熱構造は、従来と同等の断熱性能を維持しながら、安価で設備投資費用も少なく組み立てが容易で、しかもリサイクル使用も容易である。
【発明を実施するための最良の形態】
【００１２】
第１の発明は、熱交換器と、台枠と、前記熱交換機の下流側に配された送風ファンと、前記熱交換器で熱交換された空気を送風回路を経て吹き出す吹出し口とを備え、前記送風回路の裏面の一部を箱状に形成し、前記箱部に、前記箱部と同一材料で成形した中空用蓋を係合させて中空部を形成したもので、中空部で断熱材貼り付けと同等の断熱性能を維持すると共に、箱部に中空用蓋を係合させるだけで中空部が形成できるので、従来のような溶着治具や溶着工程が不要になり、コスト及び工数の低減を図ることができる。さらに、送風回路と中空用蓋の材質が同一なので解体の手間をかけずに送風回路部品をそのままリサイクル使用できるため環境負荷の低減を図ることができる。
【００１３】
第２の発明は、特に、第１の発明の中空用蓋の外周にシール用突壁を設けたもので、箱部と中空用蓋とのシール性が高められ、中空部での断熱効果を高めることができる。
【００１４】
第３の発明は、特に、第１又は第２の発明の中空用蓋の下部に差込み突起を複数個設け、さらに、前記差込み突起が挿入される囲い壁を台枠に複数個設けたもので、中空用蓋の下部の位置決め及び取付け作業が容易にできる。
【００１５】
第４の発明は、特に、第２又は第３の発明の送風回路の裏面に一体的に設けられ結露水を受ける樋部と、中空用蓋の上側のシール用突壁に設けられた複数個の角穴部を備え、前記樋部下の箱部内側に、前記角穴部を引っ掛ける引っ掛け爪を設けたもので、中空用蓋の上部の箱部への取付け作業が容易に行え、また、強固に固定することができる。
【００１６】
第５の発明は、特に、第３又は第４の発明の箱部内面に当接する当てリブをシール用突壁に複数個設け、さらに、台枠に設けた囲い壁の内側に差込み突起に当接する第２の当てリブを設けたもので、中空用蓋と送風回路背面の接触部の擦れによる異常音発生を防止することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の背面図、図２は、図１のＢ−Ｂ断面図、図３は、同空気調和機の要部断面図（図２のＡ部拡大図）、図４は、同空気調和機の中空用蓋の３面図である。なお、従来と同一部分については、同一符号を付してその説明を省略する。
【００１９】
図２において、５は送風回路で、その前側に熱交換器１１が取付けられており、その内部に送風ファン１０が固定されている。７は、台枠である。そして、送風回路５の裏面の一部を箱状に形成して箱部５ａを設け、その箱部５ａに箱部５ａと同一材料で成形した平板状の中空用蓋１を係合して中空部８を形成している。
【００２０】
次に、箱部５ａと平板状の中空用蓋１との係合部の構成について、図３、４を用いて説明する。
【００２１】
図に示すように、中空用蓋１の外周に、箱部５ａの内壁の先端部とオーバーラップするようにシール用突壁２が設けられている。中空用蓋１の下部に差込み突起３を複数個設け、さらに、台枠７に、上から（矢印Ｂ方向）差し込まれる差込み突起３を囲う囲い壁７ａが複数個設けらている。
【００２２】
また、中空用蓋１のシール用突壁２の上側に角穴部２ａを複数個設け、さらに、送風回路５の背面側の樋部６下に位置する箱部５ａ内側に、中空用蓋１が後方から（矢印Ｃ方向）押された時に角穴部２ａを引っ掛ける引っ掛け爪５ｂを設けている。
【００２３】
以上のように構成された空気調和機の動作、作用について説明する。
【００２４】
空気調和機本体１２の冷房運転時において、熱交換器１１を通過し冷却された風が送風回路５を冷却するため、送風回路５の背面側が大量に結露する。そこで、上部の結露水は従来通り背面側の樋６を用いて処理し、構造上処理できない結露の発生する可能性のある背面側で樋６より下側は、箱部５ａと平板状の中空用蓋１で形成された中空部８の断熱効果により、冷房時の結露を防止することができる。
【００２５】
上記構成により、中空部８で断熱材貼り付けと同等の断熱性能を維持し、コスト及び工数低減を図ることができる。さらに、解体の手間をかけずに送風回路部品をそのままリサイクル使用できるため環境負荷の低減が可能となる。
【００２６】
また、本実施の形態では、中空用蓋１の外周にシール用突壁２を設け、中空用蓋１と箱部５ａとの間にシール構造を形成するため、中空部８のシール効果を確実に保つことができる。
【００２７】
また、差込み突起３を、矢印Ｂ方向に囲い壁７ａの中へ挿入することにより、中空用蓋１下部の位置決め及び取付け作業を容易に行うことができる。
【００２８】
そして、中空用蓋１の上部を矢印Ｃ方向に、樋部６下の箱部５ａへ押付けることにより、中空用蓋１の上部の取付け作業が容易に行えるとともに、強固に固定することができる。
【００２９】
（実施の形態２）
図５は、本発明の第２の実施の形態における空気調和機の要部拡大図である。
【００３０】
図に示すように、本実施の形態では、中空用蓋１外周のシール用突壁２に、箱部５ａの内面に当接する当てリブ４を複数個設け、さらに、台枠７に設けた囲い壁７ａの内側に、差込み突起３に当接する第２の当てリブ４ａを設けたもので、中空用蓋１と送風回路５背面との接触部の擦れによる異常音発生を防止することができるものである。
【産業上の利用可能性】
【００３１】
本発明の空気調和機の断熱構造は、従来と同等の断熱性能を維持しながら、安価で設備投資費用も少なく組み立てが容易で、しかも環境負荷の低減もできるので、断熱構造を必要とする各種機器、装置に適用できる。
【図面の簡単な説明】
【００３２】
【図１】本発明の実施の形態１における空気調和機の背面図
【図２】図１のＢ−Ｂ断面図
【図３】同空気調和機の要部断面図（図２のＡ部拡大図）
【図４】（ａ）同空気調和機の中空用蓋の側面図（ｂ）同中空用蓋の上面図（ｃ）同中空用蓋の裏面図
【図５】本発明の実施の形態２における空気調和機の要部断面図
【図６】従来の空気調和機の正面図
【図７】図６のＡ−Ａ断面図
【符号の説明】
【００３３】
１  中空用蓋
２  シール用突壁
２ａ  角穴部
３  差込み突起
４  当てリブ
４ａ  第２の当てリブ
５  送風回路
５ａ  箱部
５ｂ  引っ掛け爪
６  樋部
７  台枠
７ａ  囲い壁
８  中空部
９  吹出し口
１０  送風ファン
１１  熱交換器
１２  空気調和機本体
１３  断熱材
【図１】
2005321127.tif 000003
【図２】
2005321127.tif 000004
【図３】
2005321127.tif 000005
【図４】
2005321127.tif 000006
【図５】
2005321127.tif 000007
【図６】
2005321127.tif 000008
【図７】
2005321127.tif 000009